(57)【要約】      （修正有）【課題】車載装置において、ディスプレイ部への通電が解除されたうえで、ディスプレイ部の取り外しが可能になる構成を提供する。【解決手段】ディスプレイ部と本体部とを有する車載装置であって、前記ディスプレイ部と前記本体部とを連結する連結部に配され、前記ディスプレイ部への通電と通電解除とを行うスイッチ部材７１１，７１２と、前記ディスプレイ部を前記本体部に連結した状態で固定する固定部材５１１，５１２と、前記連結部に設けられたガイド穴に操作端４０１，４０２が挿入されることで前記スイッチ部材を操作する操作部材３１０と、を有し、前記操作部材は、前記スイッチ部材に対して通電の操作が行われた状態で、前記固定部材を覆い、前記スイッチ部材に対して通電解除の操作が行われ、前記操作端が前記ガイド穴７０１，７０２から抜去された状態で、前記固定部材を覆わないガード部６０１，６０２を有することを特徴とする。【選択図】図７
2019107976.tif 000002
【特許請求の範囲】
【請求項１】
ディスプレイ部と本体部とを有する車載装置であって、
前記ディスプレイ部と前記本体部とを連結する連結部に配され、前記ディスプレイ部への通電と通電解除とを行うスイッチ部材と、
前記ディスプレイ部を前記本体部に連結した状態で固定する固定部材と、
前記連結部に設けられたガイド穴に操作端が挿入されることで前記スイッチ部材を操作する操作部材と、を有し、
前記操作部材は、前記スイッチ部材に対して通電の操作が行われた状態で、前記固定部材を覆い、前記スイッチ部材に対して通電解除の操作が行われ、前記操作端が前記ガイド穴から抜去された状態で、前記固定部材を覆わないガード部を有することを特徴とする車載装置。
【請求項２】
前記ガード部は、前記固定部材にアクセスするためのアクセス経路を遮断する方向を覆うことを特徴とする請求項１に記載の車載装置。
【請求項３】
前記操作部材は、複数の前記操作端を有し、
前記連結部には、複数の前記スイッチ部材が配され、
複数の前記操作端のいずれかが、対応する前記スイッチ部材に対して通電の操作を行うことで、前記ディスプレイ部への通電が行われるよう構成されていることを特徴とする請求項１または２に記載の車載装置。
【発明の詳細な説明】
【技術分野】
【０００１】
本発明は、車載装置に関する。
【背景技術】
【０００２】
ナビゲーション装置等の車載装置は、車両に取り付けた後に、交換や調整作業等のためにディスプレイ部を本体部から取り外す作業を行うことがある。このため、かかる車載装置は、一般に、ディスプレイ部の取り外し作業を容易に行うことができるように構成されている。
【０００３】
例えば、下記特許文献１の場合、ディスプレイ部を固定するねじと、ディスプレイ部と本体部とを連結する連結部材を覆う目隠しカバーを固定するねじと、を共有させている。これにより、当該車載装置では、１組のねじを外すだけで、ディスプレイ部と目隠しカバーの両方を取り外すことができる。
【先行技術文献】
【特許文献】
【０００４】
【特許文献１】特開２０１７−１７７８４８号公報
【発明の概要】
【発明が解決しようとする課題】
【０００５】
しかしながら、上記特許文献１によれば、目隠しカバーは、更に、ディスプレイ部への通電及び通電解除を行うスイッチを操作する操作部材としての機能も兼ね備えている。このため、上記特許文献１の場合、上記１組のねじを外すと、目隠しカバーを取り外す前であっても、ディスプレイ部の固定が解除されることとなり、通電状態にも関わらずディスプレイ部にがたつきが生じるといった事態が想定される。
【０００６】
このように、通電状態にも関わらずディスプレイ部にがたつきが生じると、ディスプレイ部と本体部との間のコネクタ端子において電気的接続が強制切断されたり、電気的接続が不安定となる。この結果、ディスプレイ部内の基板上の部品が破壊されるといった事態が生じ得る。
【０００７】
本発明は上記課題鑑みてなされたものであり、車載装置において、ディスプレイ部への通電が解除されたうえで、ディスプレイ部の取り外しが可能になる構成を提供することを目的とする。
【課題を解決するための手段】
【０００８】
一態様によれば、ディスプレイ部と本体部とを有する車載装置は、
前記ディスプレイ部と前記本体部とを連結する連結部に配され、前記ディスプレイ部への通電と通電解除とを行うスイッチ部材と、
前記ディスプレイ部を前記本体部に連結した状態で固定する固定部材と、
前記連結部に設けられたガイド穴に操作端が挿入されることで前記スイッチ部材を操作する操作部材と、を有し、
前記操作部材は、前記スイッチ部材に対して通電の操作が行われた状態で、前記固定部材を覆い、前記スイッチ部材に対して通電解除の操作が行われ、前記操作端が前記ガイド穴から抜去された状態で、前記固定部材を覆わないガード部を有することを特徴とする。
【発明の効果】
【０００９】
車載装置において、ディスプレイ部への通電が解除されたうえで、ディスプレイ部の取り外しが可能になる構成を提供することができる。
【図面の簡単な説明】
【００１０】
【図１】車載装置の全体構成を示す図である。
【図２】ディスプレイ側連結部材と本体側連結部材とを覆うカバー部材を示す図である。
【図３】ディスプレイ部を本体部から取り外す取り外し作業を説明する第１の図である。
【図４】ディスプレイ部を本体部から取り外す取り外し作業を説明する第２の図である。
【図５】ディスプレイ部を本体部から取り外す取り外し作業を説明する第３の図である。
【図６】操作部材の機能を説明するための第１の図である。
【図７】操作部材の機能を説明するための第２の図である。
【発明を実施するための形態】
【００１１】
以下、各実施形態について添付の図面を参照しながら説明する。なお、本明細書及び図面において、実質的に同一の機能構成を有する構成要素については、同一の符号を付することにより重複した説明を省く。
【００１２】
［第１の実施形態］
＜車載装置の全体構成＞
はじめに、第１の実施形態に係る車載装置の全体構成について説明する。図１は、車載装置の全体構成を示す図である。第１の実施形態において、車載装置１００は、例えばナビゲーション装置であり、ディスプレイ部１１０と、本体部１２０とを有する。
【００１３】
なお、図１（ａ）、（ｂ）に示すように、第１の実施形態では、ディスプレイ部１１０の画面に平行な横方向の軸をＸ軸とし、ディスプレイ部１１０の画面に平行な縦方向の軸をＹ軸としている。また、ディスプレイ部１１０の画面に対して直交する方向をＺ軸としている。
【００１４】
図１（ａ）は、車載装置１００を、ディスプレイ部１１０の正面側から見た様子を示す図である。なお、車載装置１００を車両に取り付けた場合、本体部１２０は、車室のダッシュボード内に収納され、車両の搭乗者からは、ディスプレイ部１１０のみが視認されることとなる。
【００１５】
ディスプレイ部１１０は、本体部１２０において生成された画像を車両の搭乗者に表示したり、画像の表示に応じて車両の搭乗者から入力された操作を受け付けたりする。本体部１２０は、ディスプレイ部１１０にて受け付けた操作に応じて、ディスプレイ部１１０に表示する画像を生成したり、生成した画像をディスプレイ部１１０に表示する制御を行う。ディスプレイ部１１０と本体部１２０は、連結部によって連結されている。連結部は、後述するディスプレイ側連結部材２０１と本体側連結部材３０１とを有する。
【００１６】
図１（ｂ）は、車載装置１００を、ディスプレイ部１１０の背面側から見た様子を示している。図１（ｂ）に示すように、ディスプレイ部１１０は、パネル部材１１１と、パネル部材１１１の背面を支持する支持部材１１２とを有する。
【００１７】
支持部材１１２は、ディスプレイ部１１０を本体部１２０に連結するためのディスプレイ側連結部材（図１において不図示）に回動可能に取り付けられる。これにより、支持部材１１２は、ディスプレイ部１１０のパネル部材１１１を、Ｘ軸周りに所定角度分、回動させることができる。なお、ディスプレイ側連結部材及び本体側連結部材を含む連結部は、カバー部材１１３により覆われており、通常は、外部から視認できないように構成されている。
【００１８】
＜カバー部材の説明＞
次に、ディスプレイ側連結部材と本体側連結部材とを覆うカバー部材１１３について説明する。図２は、ディスプレイ側連結部材と本体側連結部材とを覆うカバー部材を示す図である。
【００１９】
なお、図２では、カバー部材１１３等を見やすくするために、ディスプレイ部１１０のパネル部材１１１、支持部材１１２等は省略している。図２に示すように、ディスプレイ側連結部材２０１は、カバー部材１１３が取り付けられることで、カバー部材１１３により、上面及び側面が覆われる。同様に、本体側連結部材（図２において不図示）も、カバー部材１１３が取り付けられることで、カバー部材１１３により、上面及び側面が覆われる。
【００２０】
＜取り外し作業の説明＞
次に、第１の実施形態に係る車載装置１００において、ディスプレイ部１１０を本体部から取り外す「取り外し作業」について説明する。本実施形態に係る車載装置１００の取り外し作業は、以下の手順で行われる。
【００２１】
・カバー部材の取り外し
・操作部材の取り外し
・ディスプレイ部を本体部に連結した状態で固定する固定ねじの取り外し及びディスプレイ部の取り外し
以下、それぞれの手順について詳説する。
【００２２】
（１）カバー部材の取り外し
はじめに、カバー部材１１３の取り外しについて説明する。図３は、ディスプレイ部を本体部から取り外す取り外し作業を説明する第１の図であり、カバー部材１１３を取り外す様子を示している。なお、図３においても、ディスプレイ側連結部材２０１等を見やすくするために、ディスプレイ部１１０のパネル部材１１１、支持部材１１２等は省略している。つまり、以降の各図の説明において、ディスプレイ部１１０の取り外し作業とは、ディスプレイ側連結部材２０１の取り外し作業と等価である。
【００２３】
カバー部材１１３は、不図示のねじにより、ディスプレイ側連結部材２０１に固定されている。当該不図示のねじを外すことで、図３に示すように、カバー部材１１３を矢印方向に取り外すことができる。なお、カバー部材１１３を取り外すと、ディスプレイ側連結部材２０１と本体側連結部材３０１とが露出する。
【００２４】
ディスプレイ側連結部材２０１と本体側連結部材３０１には、それぞれの内部にコネクタ端子が設けられており、ディスプレイ側連結部材２０１と本体側連結部材３０１とが連結された状態では、コネクタ端子は電気的に接続されることになる。このため、ディスプレイ部１１０と本体部１２０との間の信号の送受信が可能となる。
【００２５】
なお、図３に示すように、ディスプレイ側連結部材２０１の上面には、操作部材３１０が取り付けられており、カバー部材１１３を取り外すことで露出する。操作部材３１０は、本体側連結部材３０１に取り付けられ、ディスプレイ部１１０への通電と通電解除とを行う不図示のスイッチ部材を操作する部材である。なお、本実施形態において、操作部材３１０が本体側連結部材３０１に取り付けられている状態（図３に示す状態）は、スイッチ部材に対して通電の操作が行われている状態を指しているものとする。
【００２６】
（２）操作部材の取り外し
次に、操作部材３１０の取り外しについて説明する。図４は、ディスプレイ部を本体部から取り外す取り外し作業を説明する第２の図であり、操作部材３１０を取り外す様子を示している。なお、図４においても、ディスプレイ側連結部材２０１、本体側連結部材３０１等を見やすくするために、ディスプレイ部１１０のパネル部材１１１、支持部材１１２等は省略している。
【００２７】
操作部材３１０は、本体側連結部材３０１に設けられたガイド穴に挿入されており、図４に示すように、上方に引き上げることにより、操作部材３１０を矢印方向に取り外すことができる。操作部材３１０を取り外すと、スイッチ部材に対して通電解除の操作が行われることになる。操作部材３１０は、ねじ等では固定されておらず、カバー部材１１３が取り付けられることで上方への移動が規制される。
【００２８】
なお、図４に示すように、操作部材３１０は、操作端４０１、４０２を有し、本体側連結部材３０１に固定された状態で、本体側連結部材３０１に取り付けられたスイッチ部材７１１、７１２に対して通電の操作を行う。
【００２９】
なお、操作部材３１０が取り外され、ディスプレイ部１１０への通電が解除された状態であっても、ディスプレイ側連結部材２０１は、本体側連結部材３０１に対して、固定ねじ５１１、５１２により固定された状態を維持する。つまり、本実施形態に係る車載装置１００の場合、操作部材３１０を取り外しても固定ねじ５１１、５１２を外さない限り、ディスプレイ部１１０にがたつきが生じることはない。
【００３０】
この結果、ディスプレイ部１１０と本体部１２０との間のコネクタ端子において電気的接続が強制切断されたり、電気的接続が不安定になることで、ディスプレイ部１１０内の基板上の部品が破壊されてしまう、といった事態を回避することができる。
【００３１】
（３）ディスプレイ部を本体部に連結した状態で固定する固定ねじの取り外し及びディスプレイ部の取り外し
次に、ディスプレイ側連結部材２０１を本体側連結部材３０１に連結した状態で両者を固定する固定ねじの取り外し及びディスプレイ部１１０（ディスプレイ側連結部材２０１）の取り外しについて説明する。
【００３２】
図５は、ディスプレイ部を本体部から取り外す取り外し作業を説明する第３の図であり、ディスプレイ部１１０を本体部１２０に連結した状態で固定する固定ねじを取り外し、ディスプレイ部１１０（ディスプレイ側連結部材２０１）を取り外す様子を示す図である。なお、図５においても、ディスプレイ側連結部材２０１等を見やすくするために、ディスプレイ部１１０のパネル部材１１１、支持部材１１２等は省略している。
【００３３】
ディスプレイ側連結部材２０１は、本体側連結部材３０１に対して、連結した状態で、固定ねじ（固定部材）５１１、５１２により固定される。固定ねじ５１１、５１２を外し、ディスプレイ側連結部材２０１を矢印方向に取り外すことで、ディスプレイ部１１０（ディスプレイ側連結部材２０１）を本体部１２０から取り外すことができる。
【００３４】
なお、この時点では、既に、操作部材３１０が取り外されており、ディスプレイ部１１０への通電は解除されている。このため、本実施形態に係る車載装置１００によれば、ディスプレイ部１１０を安全に取り外すことができる。なお、図５に示すように、ディスプレイ部１１０を取り外すと、本体部１２０側のコネクタ端子５０１が露出する。
【００３５】
＜操作部材の機能＞
次に、操作部材３１０の機能について更に詳細に説明する。図６は、操作部材の機能を説明するための第１の図である。このうち、図６（ａ）は、カバー部材１１３を取り外した状態（図３参照）を、車載装置１００の上方から見た様子を示している。
【００３６】
図６（ａ）に示すように、ディスプレイ側連結部材２０１に操作部材３１０が取り付けられた状態では、ディスプレイ側連結部材２０１を、本体側連結部材３０１に固定する固定ねじ５１１、５１２にアクセスすることができない。操作部材３１０が本体側連結部材３０１に取り付けられた状態では、操作部材３１０を構成するガード部６０１、６０２が、固定ねじ５１１、５１２の上方を覆っているからである。
【００３７】
このように、本実施形態に係る車載装置１００の場合、操作部材３１０が本体側連結部材３０１に取り付けられた状態では、固定ねじ５１１、５１２を外すための工具が、固定ねじ５１１、５１２へアクセスするためのアクセス経路が遮断される。このため、固定ねじ５１１、５１２を外すことができない。
【００３８】
一方、図６（ｂ）は、操作部材３１０を本体側連結部材３０１から取り外した状態（図４参照）を、車載装置１００の上方から見た様子を示している。図６（ｂ）に示すように、操作部材３１０が取り外された状態では、固定ねじ５１１、５１２にアクセスして、ディスプレイ側連結部材２０１を取り外すことができる。なお、上述したとおり、操作部材３１０が取り外されると、ディスプレイ部１１０への通電は解除されることになる。
【００３９】
このように、ガード部６０１、６０２を配し、固定ねじ５１１、５１２へアクセスするためのアクセス経路を遮断する遮断機能を操作部材３１０に持たせることで、本実施形態に係る車載装置１００によれば、ディスプレイ部１１０の取り外し作業において、
・ディスプレイ部１１０への通電の解除、
・ディスプレイ部１１０の取り外し、
という手順が規定されることとなる。この結果、本実施形態に係る車載装置１００によれば、通電状態にも関わらずディスプレイ部１１０にがたつきが生じるといった事態を回避することができる。
【００４０】
続いて、操作部材の他の機能について説明する。図７は、操作部材の機能を説明するための第２の図である。操作部材３１０は、固定ねじ５１１、５１２へのアクセス経路を遮断する遮断機能に加え、ディスプレイ部１１０への通電及び通電解除を行うスイッチ部材７１１を操作するための操作機能を有する。
【００４１】
図７（ａ）は、操作部材３１０が、本体側連結部材３０１に取り付けられ、スイッチ部材７１１に対して通電の操作が行われた状態を示している。図７（ａ）に示すように、本体側連結部材３０１には、ガイド穴７０１、７０２が設けられており、ガイド穴７０１、７０２それぞれの側壁には、スイッチ部材７１１、７１２が取り付けられている。
【００４２】
操作部材３１０は、操作端４０１、４０２それぞれが、対応するガイド穴７０１、７０２それぞれに挿入されるように、本体側連結部材３０１に取り付けられる。このため、操作部材３１０が本体側連結部材３０１に取り付けられた状態では、操作端４０１、４０２が、対応するスイッチ部材７１１、７１２それぞれに対して、通電の操作を行うことになる。
【００４３】
なお、本実施形態に係る車載装置１００は、
・操作端４０１がガイド穴７０１の側壁に取り付けられたスイッチ部材７１１に対して通電の操作を行う、または、
・操作端４０２がガイド穴７０２の側壁に取り付けられたスイッチ部材７１２に対して通電の操作を行う、
ことでディスプレイ部１１０への通電が行われるように構成されている。このため、本実施形態に係る車載装置１００によれば、一方の操作端が折れたり、一方のスイッチ部材が壊れても、残りの操作端及びスイッチ部材により、通電及び通電解除を行うことができる。
【００４４】
図７（ｂ）は、操作部材３１０が本体側連結部材３０１から取り外され、スイッチ部材７１１に対して通電解除の操作が行われた状態を示している。図７（ｂ）に示すように、操作部材３１０が取り外されることで、操作端４０１、４０２それぞれが、対応するガイド穴７０１、７０２それぞれから抜去されるため、対応するスイッチ部材７１１、７１２それぞれが元の位置に戻り、通電が解除されることになる。
【００４５】
＜まとめ＞
以上の説明から明らかなように、本実施形態に係る車載装置１００は、
・ディスプレイ部１１０を本体部１２０に連結した状態で固定する固定ねじ５１１、５１２と、ディスプレイ部１１０への通電と通電解除とを操作する操作部材３１０と、を有する。
・操作部材３１０が通電の操作を行った状態で、操作部材３１０のガード部６０１、６０２は固定ねじ５１１、５１２を覆う。また、操作部材３１０が通電解除の操作を行った状態で、操作部材３１０のガード部６０１、６０２は固定ねじ５１１、５１２を覆わない。
【００４６】
このように、操作部材３１０に、通電及び通電解除を操作する操作機能に加えて、固定ねじへのアクセス経路を遮断する遮断機能を持たせることで、本実施形態に係る車載装置１００によれば、ディスプレイ部１１０の取り外し作業の手順を規定することができる。つまり、本実施形態に係る車載装置１００によれば、ディスプレイ部への通電が解除されたうえで、ディスプレイ部の取り外しが可能になる構成を提供することができる。
【００４７】
［第２の実施形態］
上記第１の実施形態では、操作部材３１０の材質について特に言及しなかったが、例えば、操作部材３１０は透明の樹脂により構成されてもよい。固定ねじ５１１、５１２を覆う操作部材３１０を透明の樹脂により構成することで、操作部材３１０が本体側連結部材３０１に取り付けられた状態でも、固定ねじ５１１、５１２の位置を視認することができるからである。
【００４８】
また、上記第１の実施形態では、操作部材３１０が２つの操作端４０１、４０２を有し、本体側連結部材３０１に２つのスイッチ部材を配する構成とした。しかしながら、操作端の数及びスイッチ部材の数はこれに限定されない。操作部材３１０は、１つの操作端あるいは３つ以上の複数の操作端を有していてもよい。また、本体側連結部材３０１には、１つのスイッチ部材あるいは３つ以上の複数のスイッチ部材が配されてもよい。
【００４９】
また、上記第１の実施形態では、ディスプレイ部１１０の画面サイズについて特に言及しなかったが、画面サイズが大きいほど、上記第１の実施形態で説明した構成は、より有効となる。画面サイズが大きいほど、コネクタ端子のピン数が多くなり、ディスプレイ部１１０の取り外し時のがたつきによる負の影響が大きくなるからである。
【００５０】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００５１】
１００            ：車載装置
１１０            ：ディスプレイ部
１１３            ：カバー部材
１２０            ：本体部
２０１            ：ディスプレイ側連結部材（連結部）
３０１            ：本体側連結部材（連結部）
３１０            ：操作部材
４０１、４０２    ：操作端
５０１            ：コネクタ端子
５１１、５１２    ：固定ねじ（固定部材）
６０１、６０２    ：ガード部
７０１、７０２    ：ガイド穴
７１１、７１２    ：スイッチ部材
【図１】
2019107976.tif 000003
【図２】
2019107976.tif 000004
【図３】
2019107976.tif 000005
【図４】
2019107976.tif 000006
【図５】
2019107976.tif 000007
【図６】
2019107976.tif 000008
【図７】
2019107976.tif 000009